(57)【要約】【課題】複数個のガスコックを複式取付仕様に構成し、これらガスコックを、調理器具本体及びガス供給マニホールドに良好な精度で確実に取付ける構造を提供する。【解決手段】ガスコック１、２をガスコンロ本体２０ａに取付けるに際して、左右に並んだ各ガスコック１、２のガードカバー７、８に渡した共通横板９でガスコック１、２間を連結すると共に、共通横板９の略中央から略水平に延伸するガイド板１２を設け、ガイド板１２を差し込むガイド口１４を操作パネル１９に設ける。また、ガスコック１、２をマニホールド１７に取付けるに際して、ガスコック１、２のガス吸入口３９、３９に対応してマニホールド１７上に器具栓台１６ｃ、１６ｄを取付け、各器具栓台１６ｃ、１６ｄを共通取付台１５ｂで連結する。【選択図】図６
2005195282.tif 000002
【特許請求の範囲】
【請求項１】
ガス器具内のマニホールドに取付けられ、ガス器具の操作パネルに形成された開口に貫装する操作体を備えるガスコックの取付構造において、ガス器具本体に前記操作パネルを取付ける取付枠に対して、前記ガスコックを固定したことを特徴とするガスコック取付構造。
【請求項２】
ガス器具内のマニホールドに取付けられ、ガス器具の操作パネルに形成された開口に貫装する操作体を備えるガスコックの取付構造において、前記ガスコックを前記操作パネルに位置決めする位置決め部材を設けたことを特徴とするガスコック取付構造。
【請求項３】
前記マニホールドに対して前記ガスコックを複数並設し、該ガスコックの並設配置に対応して前記操作パネルの開口をそれぞれ開設すると共に、前記操作パネルに対する位置決めに、前記複数のガスコック間で共通の単一位置決め部材を用いたことを特徴とする請求項２に記載のガスコック取付構造。
【請求項４】
ガス器具内のマニホールドに取付けられ、ガス器具の操作パネルに形成された開口に貫装する操作体を備えるガスコックの取付構造において、複数のガスコックを並設すると共に、該ガスコックの並設配置に対応して前記操作パネルの開口をそれぞれ開設し、前記マニホールドのガス噴出口から前記複数のガスコックのそれぞれに連通するガス通路を備えた共通介在部材に前記複数のガスコックを取付けて、前記ガス通路を介して前記マニホールドと前記ガスコックとを連通することを特徴とするガスコック取付構造。
【請求項５】
ガス器具内のマニホールドに取付けられ、ガス器具の操作パネルに形成された開口に貫装する操作体を備えるガスコックの取付構造において、複数のガスコックを並設すると共に、該ガスコックの並設配置に対応して前記操作パネルの開口をそれぞれ開設し、該ガスコックの並設配置に対応して前記マニホールドに設けたガス噴出口のそれぞれと前記複数のガスコックのそれぞれとを接続するガス通路を備えた共通介在部材に前記複数のガスコックを取付けて、前記ガス通路を介して前記マニホールドと前記ガスコックとを連通することを特徴とするガスコック取付構造。
【請求項６】
前記マニホールドを、そのガス導入部を介して、ガス器具本体に固定されたガスインレット部材に気密接続取付けすると共に、前記マニホールドに固定されたガスコックをガス器具本体に取付けることにより、該マニホールドを吊り下げ構造としたことを特徴とする請求項１乃至５のいずれか１項に記載のガスコック取付構造。
【発明の詳細な説明】
【技術分野】
【０００１】
本発明は、ガスコックの取付構造に関する。このガスコックは、例えばガス調理器具の操作パネルの開口に貫装される操作つまみを備えるものである。
【背景技術】
【０００２】
ガスコックは、その操作体（点消火ボタンや出力調整つまみ）が操作パネルに設けた開口に精度良く貫装される為に、ガスを供給するマニホールドなどに寸法精度良く取付けられることが要望される。
【０００３】
これらの取付けに際しては、例えば特許文献１に示すように、器具本体に取付けられる固定金具（ブラケット）に対して、マニホールドを溶接接合するものがある。
【特許文献１】特開昭６０-１７６４０号公報（第２頁、第２図）
【発明の開示】
【発明が解決しようとする課題】
【０００４】
ところが、器具本体に固定されたマニホールドにガスコックが取付けられ、その操作体が操作パネルの開口に貫装されるが、寸法精度や取付誤差などにより、操作体が開口に精度良く貫装されない事がある。
【０００５】
また、ガス器具、特にガスコンロでは、複数の操作ボタン（操作体）が並設される構成をとる場合、略水平の横方向に長手に伸びるマニホールド（ガス管）にガス噴出孔を適宜間隔で複数箇所に設け、さらに、各ガス噴出孔の上側にガスコックを備える構成は、有力で代表的な基本設計である。
【０００６】
しかしながら、例えば、マニホールド上に、ガスコックを取付ける器具栓台を溶接する場合、通常の溶接精度では、各器具栓台毎に種々の誤差発生に対処する必要が生じる。即ち、マニホールドの直上位置に各器具栓台が溶接されるべきところ、各器具栓台毎にその取付位置がマニホールド周方向で誤差を生じることがある。あるいは、各器具栓台の溶接面法線はマニホールド軸線に対して直交する平行線となるべきところ、互いの法線方向が平行に揃わず、マニホールド軸線に対して、各器具栓台毎にその取付角度の誤差が生じることがある。そして、このような誤差が累積して拡大すると、ガスコックの取付姿勢がズレたりして、結果的に、並設すべき操作体がズレる事となる。
【０００７】
本発明は、上記問題点に鑑み、操作体が精度良く操作パネルの開口に貫装されるようにガスコックを取付ける構造を提供することを課題とする。また、複数個のガスコックをユニット取付仕様に構成し、これらガスコックを、ガス調理器具本体及びガス供給マニホールドに良好な精度で確実に取付ける構造を提供することを課題としている。
【課題を解決するための手段】
【０００８】
上記課題を解決するため、本発明は、ガス器具内のマニホールドに取付けられ、ガス器具の操作パネルに形成された開口に貫装する操作体を備えるガスコックの取付構造において、ガス器具本体に前記操作パネルを取付ける取付枠に対して、前記ガスコックを固定した。
【０００９】
これによれば、ガスコックが操作パネル取付用の取付枠に保持され、この際に、操作パネルの開口に、点消火ボタンや火力調節つまみなどの操作体が適正位置で貫装される。この適正な位置での取付は、吊り下げ式マニホールドなどをガスコックに接続させた状態でも有効であり、多様なガスコックの取付に対応可能である。
【００１０】
また、ガスコックを操作パネルに位置決めする位置決め部材を設けることにより、操作パネルの開口の適正位置に操作体が貫装される。
【００１１】
なお、マニホールドに対して２個以上のガスコックを並設する場合も、これらガスコックの並設配置に対応して操作パネルの開口をそれぞれ開設し、また、操作パネルに対する位置決めに、複数のガスコック間で共通の単一位置決め部材を用いることにより、ガスコックをユニット化した状態で、正しい取付位置で確実に装填することが可能である。
【００１２】
また、ガス器具内のマニホールドに取付けられ、ガス器具の操作パネルに形成された開口に貫装する操作体を備えるガスコックの取付構造において、複数のガスコックを並設すると共に、ガスコックの並設配置に対応して操作パネルの開口をそれぞれ開設し、マニホールドのガス噴出口から複数のガスコックのそれぞれに連通するガス通路を備えた共通介在部材に上記複数のガスコックのそれぞれを取付けて、前記ガス通路を介して前記マニホールドと前記ガスコックとを連通する。
【００１３】
これによれば、この介在部材を共通取付台として用いるため、ガス噴出口やこれに溶接取付けする器具栓連結部材（器具栓台や器具栓パイプ）の位置や方向が取付誤差によりばらつく場合も、その誤差を共通取付台により矯正したり吸収したりするなどの修正が可能になる。したがって、ガス供給マニホールドに対して、複数のガスコックを良好な精度で確実に取付けることができる。
【００１４】
なお、共通取付台内のガス通路は、マニホールドのガス噴出口から複数のガスコックのそれぞれに連通する構造であれば、共通の単一ガス噴出口をマニホールドに設け、これからガスコックのそれぞれに分岐接続するものでも、マニホールドに複数設けたガス噴出口とガスコックとを一対一で接続するものであっても良い。
【００１５】
上記した一対一接続は、ガスコックの並設配置に対応してマニホールドに設けたガス噴出口のそれぞれと、これら複数のガスコックのそれぞれとを接続するガス通路構造を備えることにより可能となる。
【００１６】
また、マニホールドを、そのガス導入部を介して、ガス器具本体に固定されたガスインレット部材に気密接続取付けすると共に、マニホールドに固定されたガスコックをガス器具本体に取付けることにより、このマニホールドを可動自在の吊り下げ構造とすることにより、フレキシブルに取付け自由度が得られ、このことと相俟って、ガスコックとコンロ本体及び操作パネルとの間に良好な寸法精度が得られる。
【発明の効果】
【００１７】
本発明のガスコック取付構造は、ガスコックを操作パネルの取付枠に固定したので、操作体が操作パネルの開口に精度良く貫装される。また、ガスコックを操作パネルに位置決めして取付けるため、操作体が操作パネルの開口に精度良く貫装される。
【００１８】
さらに、ガスコックをマニホールドに取付けるのに、共通介在部材を介し、複数のコックをマニホールドに接続することにより、ガスコックの取付姿勢が同じく揃い、操作体の開口への貫装精度が改善する。また、マニホールドを、そのガス導入部において、ガス器具本体に固定されたガスインレット部材に対して気密接続取付けすると共に、マニホールドに固定されたガスコックをガス器具本体に取付けることにより、このマニホールドを吊り下げ構造としたので、従来のように、マニホールドを、その複数箇所でガス器具に固定したものに比べ、ガスコックの取付に自由度が得られ、したがって、操作体の操作パネル開口への貫装精度向上が得られる。
【発明を実施するための最良の形態】
【００１９】
図１、図２及び図６は、本発明により、左右一対に並置されたガスコック１、２を、ガスコンロ２０に取付ける構造を示すものである。ガスコンロ２０は、無蓋のコンロ本体２０ａに天板２１を取付けて構成される。図１及び図２を参照して、左右に並んで配置されるガスコック１、２の前端部には、それぞれ点消火ボタン３、４とこれらの外周部にリング状の火力調節つまみ５、６が取付けられている。なお、点消火ボタン３、４や火力調節つまみ５、６が既述の操作体に相当する。両ガスコック１、２は、マニホールド１７に対する取付け完了時に、回転バルブ用ギア（図示せず）のガードカバー７、８の各前面７ａ、８ａ間に渡した共通横板９により連結され、ユニット化した状態となる。
【００２０】
なお、ガードカバー前面７ａ、８ａと共通横板９との渡設は、カバー前面７ａ、８ａの中央に設けた突起部７ｂ、８ｂが、横板９の前面板９ｆの左右端部の通孔９ａ、９ｂに係止されると共に、前面７ａ、８ａの中央の前記突起部７ｂ、８ｂの両側に設けられた小ブラケット７ｄ、８ｄの各ねじ穴７ｃ、８ｃに前記前面板９ｆのねじ穴９ｃ1、９ｃ2をねじ止めし、さらに、共通板９の前面板９ｆからこれと一体的に後方へ延伸するプレート部９ｄに設けたねじ穴９ｅ、９ｅにより、ガスコック１、２のアウトレット部１１ａ、１１ｂに、それぞれ、ねじＮを用いて固定される（図２参照）。
【００２１】
さらに、図１（ｂ）の詳細斜視図に示すように、共通横板９には、その略中央部分から、ガスコック前端部方向へ略水平に延伸するガイド板１２が、ガイド板基端部１３を介して形成される。ガイド板１２は、後述するようにガスコンロ本体２０ａに取付けられる樹脂製の操作パネル１９に設けたガイド口１４（図２参照）に差し込み可能に形成され、これの差し込みにより、ガスコック１、２と操作パネル１９との位置合せが行われる。即ち、ガイド板１２とガイド口１４とで既述の位置決め部材を構成する。
【００２２】
なお、図６に示されるように、ガスコック１、２は、その後端部に位置するガス吸入口３９が、後述する共通取付台（共通介在部材）１５ｂと、この共通取付台１５ｂで連結状態とされた、器具栓連結部材たる器具栓台１６ｃ、１６ｄを介してマニホールド１７の取付部１７ｂに接続されている。なお、器具栓台１６ｃ、１６ｄは、マニホールド１７のガス噴出口１７Ｎにあらかじめ溶着されている。
【００２３】
図２及び図６は、ガイド板１２が、上記のガイド口１４に差し込まれた状態を示す。ガイド口１４は、ガスコンロ本体２０ａに取付けられる操作パネル１９の裏側に開設された開口として形成されている。また、図中の１９ａは、操作パネル１９に一体的に形成されたつまみ周壁である。
【００２４】
また、マニホールド１７の中央部１７ａを挟んで反対側に位置する取付部１７ｂにも２個のコック１´、２´（図示せず）が同様に取付けられ一対となる。このように、ｎ個から成る複数のガスコック１、２、・・、ｎが取付けられたマニホールド１７は、図４に示すように、そのガス導入部１７ｃの始端１７ｄがコンロ本体２０ａの底板５０に取付けられるインレット５１に気密的に接続されてコンロ本体２０ａに取付けられる。なお、図４（ａ）において、インレット５１に係止部材５２を取付けた。係止部材５２は、図４（ｂ）での図示を省いているが、マニホールド１７の始端１７ｄに対して、これがインレット５１に接続された状態で係止を行い、この始端１７ｄがインレット５１から抜け出ることを防止するものである。
【００２５】
このように、マニホールド１７は、その始端１７ｄがインレット５１に気密的に接続して取付けられるだけで、これ以外の部分、特に操作パネル１９に沿う取付部１７ｂ、１７ｂと中央部１７ａでは固定されないで、マニホールド１７に固定されたコック１、２がコンロ本体２０ａに固定されることで、ガスコック１、２に吊り下げられる吊り下げ構造であり、このため、マニホールド１７の特に前面部（１７ａ、１７ｂ）は可動自在となる。
【００２６】
そして、図３及び図６に示すように、コンロ本体２０ａの前枠２０ｂのブラケット２２に、これのねじ穴２２ａ、２２ｂと、ガードカバー７、８のねじ穴７ｃ´、８ｃ´とで、ねじ４０ｂ（図６参照）によりねじ固定して、コック１、２、・・、ｎを、コンロ本体２０ａに宙吊り状態に保持する。
【００２７】
したがって、コック１、２は、マニホールド１７の取り付けに拘束されることなく、コンロ本体２０ａの前枠２０ｂの正確な位置に取付けられることになる。
【００２８】
次に、操作パネル１９のボタン用開口１９ｂに、操作体である点消火ボタン３、４と火力調節つまみ５、６とが貫装されるように、操作パネル１９をコンロ本体２０ａの前枠２０ｂに、固定ねじ５６を用いて取付ける。このボタン用開口１９ｂは、マニホールド１７に取付けられた複数のガスコック１、２、・・、ｎの個数（ｎ個）及び配置位置に対応して開設される。
【００２９】
操作パネル１９の取付に際して、本発明の取付構造では、ガイド口１４に対し、ガイド板１２の差し込みが行われる。このように、ガイド板１２がガイド口１４に対して差し込まれることによって、操作パネル１９に対してガスコック１、２が適正な取付位置で取付けられることとなる。即ち、操作パネル１９の開口１９ｂに対し、点消火ボタン３、４及び火力調節つまみ５、６の操作体が適正な状態で貫装される。
【００３０】
図４及び図５は、本発明により、左右一対に並置されたガスコック１、２を、吊り下げ式マニホールド１７に取付ける構造の第１及び第２の両態様をそれぞれ示すものである。図４（ｂ）及び図５（ｂ）の正面図で示すように、パイプ形状のマニホールド１７上には、中央部１７ａを介した左右対称部分の取付部１７ｂにおいて、ガス噴出口１７Ｎに、器具栓連結部材たる、器具栓台１６ａ〜１６ｄ（図４（ｂ））及び器具栓パイプ１６ａ´〜１６ｄ´（図５（ｂ））がそれぞれ溶接により取付けられている。
【００３１】
ところが、器具栓台１６ａ〜１６ｄ、器具栓パイプ１６ａ´〜１６ｄ´を溶接にてマニホールド１７に取付ける際に、マニホールド１７の周面方向に取付位置の誤差が生じたり、マニホールド１７の軸線に対する取付角度の誤差が生じたりすることがあり、これにより、取付けられるコック１、２にも取付ズレが波及するおそれがある。
【００３２】
そこで、図４に示す第１態様では、マニホールド１７上の各一対の器具栓台１６ａ、１６ｂ及び器具栓台１６ｃ、１６ｄを、それぞれ共通介在部材たる共通取付台１５ａ、１５ｂで連結している。共通取付台１５ｂを代表例としてその詳細を説明すると、このものは、フランジ２３に設けられたねじ穴を介して、ねじ２５の固定により器具栓台１６ｃ、１６ｄに取付けられる。また、接続部２４には、器具栓台１６ｃ、１６ｄのガス出口（例えば図６における器具栓台１６ｃのガス出口１６ｚ）と、ガスコック１、２のガス吸入口（同図６におけるガスコック１のガス吸入口３９）との間に介在して両者を連通するガス通路２６ａ、２６ｂが設けられている。
【００３３】
そして、通常の溶接精度範囲の公差程度で器具栓台１６ｃ、１６ｄの相対位置がばらつくとしても、共通取付台１５ｂの介在により器具栓台１６ｃ、１６ｄやマニホールド１７に塑性変形が生じ、それぞれの配置方向が矯正される。そして、ガス通路２６ａ、２６ｂを介して、ガスコック１、２のガス吸入口３９、３９に取付けが行われることになる。なお、このガスコック１、２の取付けは、各ガス通路２６ａ、２６ｂの両脇にそれぞれ設けた、ねじ穴２７ａ、２８ａ及びねじ穴２７ｂ、２８ｂと、ガスコック１、２のねじ穴（図示せず）とを通る固定ねじにより固定されて行われる。
【００３４】
このように、器具栓台１６ｃ、１６ｄ間に良好な相対位置精度を得ることができると共に、ガスコック１、２で共通の単一取付台、即ち、共通取付台１５ｂにガスコック１、２を取付けるので、両コック１、２は精度良く並設される。そして、マニホールド１７を吊り下げ式とするにより、フレキシブルに取付け自由度があることと相俟って、ガスコック１、２とコンロ本体２０ａ及び操作パネル１９との間に良好な寸法精度が得られるのである。
【００３５】
なお、以上の説明は、共通取付台１５ｂを代表例としたが、共通取付台１５ａにおいても同様のことが行われることは言うまでもない。
【００３６】
また、図５に示す第２態様では、マニホールド１７上に器具栓連結部材として設けた、各一対の器具栓パイプ１６ａ´、１６ｂ´及び器具栓パイプ１６ｃ´、１６ｄ´がマニホールド１７に溶接等にて固着されており、これら器具栓パイプ１６ａ´、１６ｂ´及び１６ｃ´、１６ｄ´のそれぞれの周面に、周回リブ２９ａ、３０ａ及び２９ｂ、３０ｂ及び２９ｃ、３０ｃ及び２９ｄ、３０ｄをそれぞれ設けている。そして、器具栓パイプ１６ｃ´、１６ｄ´を代表例としてその詳細を説明すると、周回リブ２９ｃ、３０ｃ及び２９ｄ、３０ｄの間隙と最上段リブの上方位置とに、ｏリング３１ｃ、３２ｃ及び３１ｄ、３２ｄを装着する。
【００３７】
さらに、ｏリング３１ｃ、３２ｃ及び３１ｄ、３２ｄを装着した各器具栓パイプ１６ｃ´、１６ｄ´と、ガスコック１、２のガス吸入口３９、３９（図６参照）との間の連結用に共通介在部材たる共通取付台３３を介在させる。
【００３８】
図５（ｃ）の拡大図に示すように、共通取付台３３は、前記ガス吸入口３９に対応する位置に出口３４ａ、３４ｂと、ｏリング３１ｃ、３２ｃ及び３１ｄ、３２ｄを装着した状態の器具栓パイプ１６ｃ´、１６ｄ´が圧入可能な入口３５ａ、３５ｂとを連通して形成したガス通路３６ａ、３６ｂを内部に備えたものである。さらに、共通取付台３３は、結合フランジ３３ｆ、３３ｆ、開口３３ｚ、３３ｚ、及び、ガスコック取付用ねじ穴３３Ｎ、３３Ｎを備えている。また、入口３５ａ、３５ｂ側の底面に、固定板５３を取付け可能としている。
【００３９】
この共通取付台３３用の固定板５３の斜視図を図５（ｄ）に示す。このものは、ねじ穴５４、５４及び挿入切り欠き５５、５５を備えている。そして、器具栓パイプ１６ｃ´、１６ｄ´を、共通取付台３３のガス通路３６ａ、３６ｂに圧入した状態で、器具栓パイプ１６ｃ´、１６ｄ´の最下段周回リブ２９ｃ、２９ｄの下側に挿入切り欠き５５、５５を通す。さらに、結合フランジ３３ｆ、３３ｆの開口３３ｚ、３３ｚに挿通させた固定ねじ（図示せず）により、共通取付台３３と結合される。
【００４０】
図５（ｂ）に示すように、この共通取付台３３を介してガス吸入口３９、３９とｏリング装着状態の器具栓パイプ１６ｃ´、１６ｄ´とを連結すると、通常の溶接精度範囲の公差程度で器具栓パイプ１６ｃ´、１６ｄ´の相対位置や角度がばらつくとしても、共通取付台３３の介在により器具栓パイプ１６ｃ´、１６ｄ´の配置方向の誤差がそれぞれ吸収される。
【００４１】
即ち、まず、器具栓パイプ１６ｃ´、１６ｄ´において、周回リブ２９ｃ、３０ｃ及び２９ｄ、３０ｄのそれぞれの間隙及び周回リブ３０ｃ、３０ｄの上方にｏリング３１ｃ、３２ｃ及び３１ｄ、３２ｄをそれぞれ係止して装着させる。次に、ｏリング３１ｃ、３２ｃ及び３１ｄ、３２ｄを装着した器具栓パイプ１６ｃ´、１６ｄ´を入口３５ａ、３５ｂからそれぞれ圧入する。そして、器具栓パイプ１６ｃ´、１６ｄ´がガス通路３６ａ、３６ｂに挿入された状態で、固定板５３の切り欠き５５、５５を、器具栓パイプ１６ｃ´、１６ｄ´の周回リブ２９ｃ、２９ｄの下側で通し、その後に、固定板５３を共通取付台３３に固定する。
【００４２】
このとき、ｏリング３１ｃ、３２ｃ及び３１ｄ、３２ｄが入口３５ａ、３５ｂ内を押圧しながらそれぞれ弾性変形する。そして、このとき、器具栓パイプ１６ｃ´、１６ｄ´の配置方向が誤差を含んでいても、それぞれ適正な向きが確保される。その際、ｏリング３１ｃ、３２ｃ及び３１ｄ、３２ｄは、自ら弾性変形することにより方向修正時に生じる応力を緩和し、また、ガス通路３６ａ、３６ｂ内での器具栓パイプ１６ｃ´、１６ｄ´の密封を確保する。
【００４３】
このため、器具栓パイプ１６ｃ´、１６ｄ´にそれぞれ連なる共通取付台３３が取付けられた状態で、各ガスコック１、２（図示せず）がコック取付ねじ穴にて取付けられる。そして、このコック１、２を器具本体２０ａに取付けて、マニホールド１７を吊り下げ式とするにより、フレキシブルに取付け自由度があることと相俟って、ガスコック１、２の操作体（点消火ボタン３、４及び火力調節用つまみ５、６）を操作パネル１９の開口１９ｂに貫装して取付ける際に良好な寸法精度が得られるのである。
【００４４】
そして、図６は、ユニット化されたガスコック１、２をガスコンロ本体２０ａやマニホールド１７に取付けた際の全体概略図である。両コックのうちガスコック１を代表例としてその詳細を説明する。
【００４５】
本発明の取付構造を用いて取付けを行うに際しては、まず、マニホールド１７上に溶着した器具栓台１６ｃ、１６ｄを共通取付台１５ｂで連結する。そして、共通取付台１５ｂの出入口を、圧縮パッキング３７、３８が当接した状態で、それぞれ器具栓台１６ｃ及びガスコック１にねじ固定する。また、他方のガスコック２においても同様の作業を行う。このとき、図４を用いて詳説したように、共通取付台１５ｂの介在により、ガスコック１、２間に良好な相対位置精度を得ることができる。また、ガスコック１、２を器具本体２０ａに取付けてマニホールド１７を吊り下げ式とするにより、フレキシブルに取付け自由度があることと相俟って、ガスコック１、２の操作体（点消火ボタン３、４及び火力調節用つまみ５、６）を操作パネル１９の開口１９ｂに貫装して取付ける際に良好な寸法精度が得られる。
【００４６】
ところで、マニホールド１７に取付けられた状態のガスコック１、２は、図１を用いて詳説したように、共通横板９により連結され、さらにユニット化された状態である。この状態で、図２を用いて詳説したように、操作パネル１９に対して、ガイド板１２の連結が行われていることにより、ガスコンロ操作パネル１９に対してガスコック１、２の操作体が適正な取付位置で取付けられる。
【００４７】
また、図３を用いて詳説したように、ガスコンロ本体２０ａの前枠２０ｂから垂下して取付けられたブラケット２２とガスコック１、２とをねじ４０ｂによりネジ固定を行う。（図６参照）
このように、本発明の取付構造を組み合せてガスコック１、２をガスコンロ本体２０や吊り下げ式マニホールド１７に取付けることにより、寸法誤差が累積して拡大することを抑制できる。
【００４８】
なお、マニホールド１７への複式ガスコック１、２の取付構造として器具栓台１６ａ〜１６ｄを用いる第１態様によるもので説明したが、器具栓パイプ１６ａ´〜１６ｄ´を用いる第２態様のものを採用しても良いことは言うまでもない。
【００４９】
また、本形態において、複式ガスコックとして、ガスコック１、２が左右に配置された二式のものを用いたが、本発明はこれに限定されることなく、３個以上のガスコックを用いるものにも適用可能であることは言うまでもない。なお、ガスコックとガスコンロ本体との取付構造に関しては、ガスコックを複式でなく単体とする構成にも適用可能である。
【００５０】
また、本形態に示す共通取付台１５ａ、１５ｂ、３３内のガス通路２６ａ、２６ｂを、いずれもガス吸入口３９とガス噴出口１７Ｎとを一対一対応で接続するものを用いたが、共通の単一ガス噴出口１７Ｎから複数のガスコックのガス吸入口３９のそれぞれに分岐接続するガス通路を備えるものとしても良い。
【産業上の利用可能性】
【００５１】
本発明のガスコック取付構造は、特に複式のものの取付構造において量産型のガスコンロ組立に活用できる。
【図面の簡単な説明】
【００５２】
【図１】（ａ）ガスコンロ本体への複式ガスコックの取付構造を示す概略正面図（ｂ）共通横板の拡大斜視図
【図２】ガスコンロ本体への複式ガスコックの位置合せ状態を示す概略平面図
【図３】ガスコンロ本体への複式ガスコックの位置決め状態を示す概略平面図
【図４】（ａ）複式ガスコックへのマニホールドの取付構造（第１態様）を示す概略平面図（ｂ）（ａ）の側面概略図
【図５】（ａ）複式ガスコックへのマニホールドの取付構造（第２態様）を示す概略平面図（ｂ）（ａ）の側面概略図（ｃ）（ｂ）に示す共通取付台に固定板が取付けられた状態の拡大断面図（ｄ）共通取付台用固定板を示す斜視図
【図６】ガスコンロ本体及びマニホールドへの複式ガスコックの取付構造の全体概略側面図
【符号の説明】
【００５３】
１  ２                            ガスコック
３  ４                            点消火ボタン（操作体）
５  ６                            火力調節つまみ（操作体）
９                                共通横板
１２                              ガイド板（位置決め部材）
１４                              ガイド口（位置決め部材）
１５ａ  １５ｂ  ３３              共通取付台（共通介在部材）
１６ａ〜１６ｄ                    器具栓台（器具栓連結部材）
１６ａ´〜１６ｄ´                器具栓パイプ（器具栓連結部材）
１７                              マニホールド
１７ｄ                            ガス導入部
１７Ｎ                            ガス噴出口
１９                              操作パネル
１９ｂ                            開口
２０                              ガスコンロ
２０ａ                            ガスコンロ本体
２０ｂ                            取付枠
２６ａ  ２６ｂ  ３６ａ  ３６ｂ    ガス通路
３４ａ  ３４ｂ                    出口
３５ａ  ３５ｂ                    入口
３９                              ガス吸入口
５１                              ガスインレット
【図１】
2005195282.tif 000003
【図２】
2005195282.tif 000004
【図３】
2005195282.tif 000005
【図４】
2005195282.tif 000006
【図５】
2005195282.tif 000007
【図６】
2005195282.tif 000008